(57)【要約】【課題】高い位置にある掲示板を少ない力で昇降できるとともに、任意の位置に停止させることができる掲示板を提供する。【解決手段】壁に固定された掲示板支持フレーム取付ベースに下部が回転可能に枢着された掲示板支持フレーム２の両側の縦フレーム３および前記縦フレーム間の中央の縦フレーム３の上部に掲示板本体１の上部が回転自在に枢着されて吊り下げられ、前記中央の縦フレームにガススプリング１１の一端が回転可能に枢着されるとともに、ガススプリングの他端が前記掲示板支持フレーム取付ベースのガススプリング支持金具に回転可能に枢着され、前記掲示板支持フレーム取付ベースの上部に配置されたスプリングバランサーから繰り出されたワイヤの一端が前記両側の縦フレームのそれぞれに連結されている掲示板。【選択図】図１
2014191058.tif 000002
【特許請求の範囲】
【請求項１】
壁に固定された掲示板支持フレーム取付ベースに下部が回転可能に枢着された掲示板支持フレームの両側の縦フレームおよび前記縦フレーム間の中央の縦フレームの上部に掲示板本体の上部が回転自在に枢着されて吊り下げられ、前記中央の縦フレームにガススプリングの一端が回転可能に枢着されるとともに、ガススプリングの他端が前記掲示板支持フレーム取付ベースのガススプリング支持金具に回転可能に枢着され、前記掲示板支持フレーム取付ベースの上部に配置されたスプリングバランサーから繰り出されたワイヤの一端が前記両側の縦フレームのそれぞれに連結されていることを特徴とする掲示板。
【請求項２】
前記掲示板本体に設けられた取っ手に、前記ガススプリングをロックあるいは解除するケーブルを作動させるレバーが取り付けられていることを特徴とする請求項１に記載の掲示板。
【請求項３】
前記両側の縦フレームに、前記スプリングバランサーのワイヤを固定するボルトの位置を調節するボルト位置調整用溝が間隔をおいて複数形成されていることを特徴とする請求項１又は２に記載の掲示板。
【発明の詳細な説明】
【技術分野】
【０００１】
本発明は、高い位置にある掲示板を少ない力で昇降できるとともに、任意の位置に停止させることができる掲示板に関するものである。
【背景技術】
【０００２】
掲示板は、会合のお知らせなどの情報を載せた用紙、絵や習字などの掲示物をピンやテープで留めて掲示したり、また黒板を掲示板として使用する場合はさらに伝達事項を書いたりしていろいろな場所で利用されている。掲示板は、教室などの壁に固定されたものが一般的である。例えば、学校などでは教室の壁を有効に利用するために、生徒の持ち物などを収納するロッカーの上や窓の上などに掲示板が設置されている。
【０００３】
かかる掲示板に掲示物を掲示する際、低い位置にある掲示板の場合は、床に立って手が届く範囲では掲示物を留めることができる。しかし、掲示板が天井近くの手の届かない高い位置にある場合は、脚立あるいはロッカーの上に載って掲示物を留めなくてはならず、また、高い位置に掲示する場合には背伸びしたりして無理な姿勢で留めなくてはならず、その際に、脚立が転倒したり、ロッカーの上から転落したりして死傷事故が発生しており、安全性が問題となっている。
【０００４】
そこで、本出願人は、高い位置の掲示板に脚立やロッカーなどに上がることなく手の届く範囲で掲示物を安全に且つ容易に掲示物を留めることができる掲示板を提案した（特許文献１）
【０００５】
前記特許文献１に記載の掲示板は、壁に固定されたフレーム支持金具に下部が回転可能に枢着された掲示板支持フレームの対向する縦フレーム間の上部に掲示板の上部が回転自在に枢着されて垂下され、それぞれの縦フレームにガススプリングの一端が回転可能に枢着されるとともに、ガススプリングの他端が壁に固定されたガススプリング支持金具に回転可能に枢着されている掲示板である。
【先行技術文献】
【特許文献】
【０００６】
【特許文献１】特開２００５−１２２０５５号公報
【発明の概要】
【発明が解決しようとする課題】
【０００７】
しかしながら、前記特許文献１に記載の掲示板は、その掲示板を最上位と最下位のレベルでしか保持できず、その途中の掲示物を掲示しやすい任意のレベルに保持できないという欠点がある。
【０００８】
また、掲示板を上昇させる際にはその重たい掲示板を支えなければならないので、大きな力を必要とする欠点がある。
【０００９】
そこで、本発明は、高い位置にある掲示板を少ない力で昇降できるとともに、任意の位置に停止させることができる掲示板を提供するものである。
【課題を解決するための手段】
【００１０】
本願請求項１の発明は、壁に固定された掲示板支持フレーム取付ベースに下部が回転可能に枢着された掲示板支持フレームの両側の縦フレームおよび前記縦フレーム間の中央の縦フレームの上部に掲示板本体の上部が回転自在に枢着されて吊り下げられ、前記中央の縦フレームにガススプリングの一端が回転可能に枢着されるとともに、ガススプリングの他端が前記掲示板支持フレーム取付ベースのガススプリング支持金具に回転可能に枢着され、前記掲示板支持フレーム取付ベースの上部に配置されたスプリングバランサーから繰り出されたワイヤの一端が前記両側の縦フレームのそれぞれに連結されていることを特徴とする掲示板である。
【００１１】
本願請求項２の発明は、前記掲示板本体に設けられた取っ手に、前記ガススプリングをロックあるいは解除するケーブルを作動させるレバーが取り付けられていることを特徴とする請求項１に記載の掲示板である。
【００１２】
本願請求項３の発明は、前記両側の縦フレームに、前記スプリングバランサーのワイヤを固定するボルトの位置を調節するボルト位置調整用溝が間隔をおいて複数形成されていることを特徴とする請求項１又は２に記載の掲示板である。
【発明の効果】
【００１３】
本発明の掲示板は、高い位置の掲示板を垂直に下降させることにより、軽い力で任意の位置に安全に維持することができ、その位置からの掲示板の昇降も軽い力で容易に行うことができる。
【図面の簡単な説明】
【００１４】
【図１】正面透視による掲示板の概略図である。
【図２】（ａ）は掲示板支持フレーム取付ベースの正面図、（ｂ）は側面図である。
【図３】ガススプリングの取付状態を示す図である。
【図４】スプリングバランサーのワイヤと縦フレームの接続状態を示す図である。
【図５】ボルト位置調整用溝を示す図である。
【発明を実施するための形態】
【００１５】
図１において、掲示板本体１を支持する掲示板支持フレーム２は、間隔をおいて平行に配置された３本の縦フレーム３と、この縦フレーム３を連結する上連結フレーム４および下連結フレーム５により４角形枠に形成されている。なお、本発明でいう掲示板本体は、掲示物を留める掲示物ボードのほか、掲示物を掲示したり情報を書いたりすることができる黒板、ホワイトボードであってもよい。
【００１６】
上連結フレーム４の両端には掲示板吊り下げフック６が設けられ、このフック６に対応して掲示板本体１に設けられた係止ピン７を掛けて掲示板本体１を吊り下げる。
【００１７】
図２において、掲示板支持フレーム２を壁８に取り付ける掲示板支持フレーム取付ベース９が壁８に固定され、この掲示板支持フレーム取付ベース９に掲示板支持フレーム２の縦フレーム３の下端がヒンジ１０に回転可能に枢着される。
【００１８】
図３において、掲示板支持フレーム２の中央の縦フレーム３には、その上部にガススプリング１１の一端がガススプリング連結支持穴１２に回転可能に枢着され、ガススプリング１１の他端は壁８に固定された掲示板支持フレーム取付ベース９の下部のガススプリング支持金具１３に回転可能に枢着されている。
【００１９】
図１に示すように、掲示板本体１の下部には、掲示板本体１を引き下げたりあるいは押し上げたりする取っ手１４が取り付けられている。取っ手１４には、ガススプリング１１をロックあるいは解除するために、ガススプリング１１に接続されたケーブル１５を作動させるレバー１６が取り付けられ、昇降の際にレバー１６でケーブル１５を引くことによりロックされ、さらに引くことにより解除される。
【００２０】
図４に示すように、壁８に固定された掲示板支持フレーム取付ベース９の上部には、ワイヤ１７を繰り出しあるいは巻き取る、一対のスプリングバランサー１８が設けられ、各スプリングバランサー１８のワイヤ１７は、スプリングバランサー１８から垂直に繰り出され、掲示板支持フレーム取付ベース９に設けられた滑車１９を介して掲示板支持フレーム２の両側の縦フレーム３の上部にボルト２０でそれぞれ固定されている。
【００２１】
図５に示すように、掲示板支持フレーム２の両側の縦フレーム３には、掲示板支持フレーム２を昇降させる際のワイヤ１７の引く力を調整するために、ワイヤ１７を固定するボルト２０の位置を調節するボルト位置調整用溝２１が間隔をおいて複数形成されており、作用点となるボルト２０の位置を適宜移動させて引く力を調節することが可能となる。ボルト位置調整用溝２１には、ボルト２０が飛び出すのを防止するために飛び出し防止カバー２２が被せられ、固定される。
【００２２】
掲示板本体１は、上連結フレーム４のフック６に吊り下げられており、掲示物を掲示する際に後ろに押されて不安定となって揺れて掲示しにくくなるので、揺れ防止のために、壁８の方向へ移動しないように掲示板本体１の裏面の両側に伸縮可能な支え棒２３を設けて掲示板本体１を支える。
【００２３】
本発明の掲示板の動作について説明する。
【００２４】
掲示板本体１が上部の掲示位置にある時は、掲示板支持フレーム２はガススプリング１１により起立した状態に保持されている。
【００２５】
掲示板本体１を降ろして掲示物を留めたりあるいは掲示物を外したりする場合には、掲示板本体１の取っ手１４を持ち、取っ手１４に取り付けられたレバー１６でガススプリング１１に接続されたケーブル１５を引いてガススプリング１１のロックを解除し、掲示板本体１を降ろしていく。降ろしていく際に、スプリングバランサー１８のワイヤ１７により軽い力で掲示板本体１を降ろすことができる。
【００２６】
掲示板本体１が所定の位置に達すると、取っ手１４に取り付けられたレバー１６によりケーブル１５を引いてガススプリング１１をロックして掲示板本体１を所定の位置に維持する。
【００２７】
次いで、掲示物を留めたりあるいは掲示物を外したりした後、掲示板本体１を上げる場合には、取っ手１４に取り付けられたレバー１６でガススプリング１１に接続されたケーブル１５を引いてガススプリング１１のロックを解除し、掲示板本体１を上げていく。上昇させていく際に、スプリングバランサー１８のワイヤ１７により軽い力で掲示板本体１を上昇させることができる。
【符号の説明】
【００２８】
１：掲示板
２：掲示板支持フレーム
３：縦フレーム
４：上連結フレーム
５：下連結フレーム
６：掲示板吊り下げフック
７：係止ピン
８：壁
９：掲示板支持フレーム取付ベース
１０：ヒンジ
１１：ガススプリング
１２：ガススプリング連結支持穴
１３：ガススプリング支持金具
１４：取っ手
１５：ケーブル
１６：レバー
１７：ワイヤ
１８：スプリングバランサー
１９：滑車
２０：ボルト
２１：ボルト位置調整用溝
２２：飛び出し防止カバー
２３：支え棒
【図１】
2014191058.tif 000003
【図２】
2014191058.tif 000004
【図３】
2014191058.tif 000005
【図４】
2014191058.tif 000006
【図５】
2014191058.tif 000007